(57)【特許請求の範囲】
【請求項１】
自動体外式除細動器のスイッチ構造であって、
前記自動体外式除細動器の本体を覆う蓋部の開閉状態と主電源スイッチのＯＮ／ＯＦＦ
とを関連付けて、
前記蓋部を開状態にすると共に前記主電源スイッチをＯＮとし、前記蓋部の閉状態へ
の変移のみでは前記主電源スイッチをＯＦＦとはせず、操作者の更なる操作があった場合
にのみ前記主電源スイッチをＯＦＦにすると共に前記蓋部を閉状態にロックする可動機構を備えたことを特徴とする自動体外式除細動器のスイッチ構造。
【請求項２】
前記蓋部に形成された突起部と、
前記本体の前記突起部に対向する位置に形成された開口穴内に摺動自在に設けられ、バ
ネにより前記突起部の方向に付勢されているツマミプロテクター、とを備え、
前記可動機構は、前記蓋部を開状態にすると共に、前記主電源スイッチをＯＮにするた
めの可動部と、
前記突起部が前記ツマミプロテクターを前記バネに抗して押圧する蓋部の完全な閉状態
でのみ前記可動部による主電源スイッチのＯＦＦ操作を可能とするロック部と、
を備えることを特徴とする請求項１に記載の自動体外式除細動器のスイッチ構造。
【請求項３】
前記可動部は、前記蓋部の完全な閉状態で当該蓋部の一部を覆う閉位置と蓋部を開放す
る開位置との間をスライド可能に設けられたツマミであって、
前記ツマミのスライド操作によって前記蓋部を開状態にすると共に、前記主電源スイッ
チをＯＮにすることを特徴とする請求項２に記載の自動体外式除細動器のスイッチ構造。
【請求項４】
前記ツマミ及び前記本体には、主電源スイッチ駆動用のホール素子及び磁石が、前記ツ
マミのスライドに関連して前記ホール素子に及ぶ前記磁石の磁力が単調的に変化するよう
に設けられていることを特徴とする請求項３に記載の自動体外式除細動器のスイッチ構造
。
【請求項５】
前記ホール素子に及ぶ前記磁石の磁力が大きくなったとき前記主電源スイッチがＯＦＦ
となることをことを特徴とする請求項４に記載の自動体外式除細動器のスイッチ構造。
【請求項６】
前記ロック部は、
前記可動部と連動し、前記突起部がツマミプロテクターを押圧する蓋部の完全な閉状態
以外では、前記ツマミプロテクターに当接して、前記ツマミの主電源スイッチのＯＦＦへ
のスライドを阻止する阻止部材であることを特徴とする請求項２に記載の自動体外式除細
動器のスイッチ構造。
【発明の詳細な説明】
【技術分野】
【０００１】
本発明は、自動体外式除細動器のスイッチ構造に関する。
【背景技術】
【０００２】
心室細動による心停止状態には、心臓に強い電気ショックを与えて心筋のけいれんを除去する電気的除細動が最も効果的な治療法となっている。ただし、電気的除細動によっても、心室細動の発生から１分毎に救命率は７〜１０％程度低下していくため、可能な限り早急の救命処置が必要となる。
【０００３】
こうした電気的除細動による救命処置には、自動体外式除細動器（ＡＥＤ：Automated External Defibrillator）が用いられる。
自動体外式除細動器（以下、ＡＥＤと称する）は、コンピューターを内蔵し、患者の胸に電極パッドが装着されると心電図を自動解析して電気的除細動の実施の可否を判断する。
そして実施可との判断がなされ、且つＡＥＤの指示に従った通電スイッチの操作がなされると、ＡＥＤは電極パッド間に電圧を印加して患者の心臓に電気ショックを与える。
なお、ＡＥＤは、そうした一連の救命処置にあたって、音声や操作ボタンの点滅等により、救命処置の手順を逐次案内することで、医療従事者以外の者でも救命処置を比較的容易に実施できるように構成されている。
【０００４】
ＡＥＤが国内でも医療従事者以外の一般の市民でも使用できるように法律が改正されたことに伴って、あらゆる場面で、あらゆる人がＡＥＤを操作することになるので、ＡＥＤの操作は煩雑でなく簡便且つ、操作者に操作状況を告知させる必要があるので、ＡＥＤの主電源は容易にＯＮ状態になることが望ましい。
【０００５】
このような要望に対して、ボタンを押すことによって、機械的スイッチがＯＮして主電源がＯＮ状態になると共に、本体を覆う蓋部のラッチが外れて、蓋部が開状態になるＡＥＤが知られている。（特許文献１参照）
【特許文献１】米国特許第２００３−０２０８２３７号明細書
【発明の開示】
【発明が解決しようとする課題】
【０００６】
上記特許文献１に記載のＡＥＤは、ボタンを押すことによって、機械的スイッチがＯＮして主電源がＯＮになると共に、本体を覆う蓋部のラッチが外れて、蓋部が開状態になる構造であるため、操作者が容易にＡＥＤの主電源をＯＮにできる。
しかし、蓋部が何らかの理由によって、閉状態になった場合には、主電源がＯＦＦになってしまうという問題があった。
また、蓋部が開状態でも、機械的スイッチをＯＦＦにすることが可能な構造であるので、ＡＥＤを使用中に操作者の誤操作等の理由で機械的スイッチをＯＦＦすると主電源がＯＦＦになってしまうという問題があった。
【０００７】
ＡＥＤの使用中に主電源がＯＦＦになると、ＯＦＦになるまでのＡＥＤの処理（処置）が全てキャンセルとなって、ＡＥＤの起動からやり直しになるので、一刻を争う状況に対応することが難しくなる。したがって、簡単に主電源がＯＦＦになることを阻止するのが望ましい。
【課題を解決するための手段】
【０００８】
前記課題を解決するために、自動体外式除細動器のスイッチ構造であって、前記自動体外式除細動器の本体を覆う蓋部の開閉状態と主電源スイッチのＯＮ／ＯＦＦとを関連付けて、前記蓋部の開状態時には前記主電源スイッチをＯＮとすると共に、前記蓋部の閉状態への変移のみでは前記主電源スイッチをＯＦＦとはせず、操作者の更なる操作があった場合にのみ前記主電源スイッチをＯＦＦにする可動機構を備えたことを特徴とする。（請求項１）
【０００９】
また、前記蓋部に形成された突起部と、前記本体の前記突起部に対向する位置に形成された開口穴内に摺動自在に設けられ、バネにより前記突起部の方向に付勢されているツマミプロテクター、とを備え、前記可動機構は、前記蓋部を開状態にすると共に、前記主電源スイッチをＯＮにするための可動部と、前記突起部が前記ツマミプロテクターを前記バネに抗して押圧する蓋部の完全な閉状態でのみ前記可動部による主電源スイッチのＯＦＦ操作を可能とするロック部とを備えることを特徴とする。（請求項２）
また、前記可動部は、前記蓋部の完全な閉状態で当該蓋部の一部を覆う閉位置と蓋部を開放する開位置との間をスライド可能に設けられたツマミであって、前記ツマミのスライド操作によって前記蓋部を開状態にすると共に、前記主電源スイッチをＯＮにすることを特徴とする。（請求項３）
【００１０】
また、前記ツマミ及び前記本体には、主電源スイッチ駆動用のホール素子及び磁石が、前記ツマミのスライドに関連して前記ホール素子に及ぶ前記磁石の磁力が単調的に変化するように設けられていることを特徴とする。（請求項４）
また、前記ホール素子に及ぶ前記磁石の磁力が大きくなったとき前記主電源スイッチがOFFとなることをことを特徴とする。（請求項５）
また、前記ロック部は、前記可動部と連動し、前記突起部がツマミプロテクターを押圧する蓋部の完全な閉状態以外では、前記ツマミプロテクターに当接して、前記ツマミの主電源スイッチのＯＦＦへのスライドを阻止する阻止部材であることを特徴とする。（請求項６）
【発明の効果】
【００１１】
本発明によれば、操作者が容易にＡＥＤの主電源をＯＮにできるとともに、蓋部が何らかの理由によって、閉状態になった場合にも、主電源がＯＦＦにはならない。
また、ＡＥＤを使用中に操作者の誤操作等の理由で機械的スイッチをＯＦＦしようとしても、主電源がＯＦＦにはならず、蓋部を閉状態にした状態で、操作者の更なる操作があった場合にのみ前記主電源スイッチがＯＦＦになるという特有の効果を奏する。
【発明を実施するための最良の形態】
【００１２】
図１及び図２を用いて本発明のＡＥＤの構成を説明する。
図１は、本発明のＡＥＤの全体構成を示す斜視図である。
図１において、１はＡＥＤの本体であって、本体内部にはＡＥＤの機能要素（公知のＡＥＤの機能要素）が組み込まれているが、本発明の内容としては直接関係がないのでこの明細書では説明を省略する。
【００１３】
２は本体を覆う蓋部であって、保管時には当該蓋部が閉状態になって、ゴミ等が入るのを防止している。
なお、内部には電極パッドが収められるが、図示していない。
３はスライド可能なツマミであって、ＡＥＤの使用時に操作者が当該ツマミをスライドさせることによって、バネ１１により蓋部２が図示の開状態になる。
なお、本発明では当該ツマミ３をスライドさせて、蓋部２が開状態になると同時にＡＥＤの図示しない主電源がＯＮ状態になる構成となっている。
４は蓋部２に形成された突起部であり、本体１に形成された開口穴５に対応している。
１４は持ち運び等に使用するハンドルである。
【００１４】
次に図２を用いて、ツマミ３のスライド操作によって、蓋部２が開状態になると共にＡＥＤの主電源がＯＮ状態になる構成を説明する。
図２は、主電源スイッチをＯＮにする動作を説明するためのスイッチ構造の詳細な断面図である。
図において、符号は図１と同様に、本体１、蓋部２、ツマミ３、突起部４、開口穴５を示している。
【００１５】
また、図２において、６はツマミプロテクター、７は磁石、８はホール素子、９はバネ、１０はツマミ３に形成された阻止部材、１２は蓋部２の一部に設けられた係合部、１３はツマミ３に設けられたラッチ部である。
図２の状態は、ツマミ３を開位置までスライドさせて、蓋部２の係合部１２とツマミ３のラッチ部１３との係合が解除されて蓋部２が開放可能な状態になっており、この後、図１に示すように、バネ１１により蓋部２は完全に開状態になる。
図２の蓋部２の開状態では、蓋部２に形成された突起部４による開口穴５内のツマミプロテクター６の押圧が解除されている。
したがって、阻止部材１０がツマミプロテクター６の側部に存在するためツマミ３のスライド（図２では左方向への）が阻止されて、主電源をＯＦＦにすることができない。
また、ツマミ３に設けられた磁石７と本体１に設けられた主電源スイッチ駆動用のホール素子８との位置関係がずれることによって、主電源はＯＮになる。
【００１６】
次に図３を用いて、蓋部２が閉状態で、ツマミ３のスライド操作によってＡＥＤの主電源がＯＦＦ状態になる構成を説明する。
図３は、主電源スイッチをＯＦＦにする動作を説明するためのスイッチ構造の詳細な断面図である。
図３において、符号は図１、図２と同じものを表わす。
【００１７】
図３の状態は、ツマミ３を矢印方向にスライドさせて閉位置とし、蓋部２が閉状態になって、蓋部２の係合部１２とツマミ３のラッチ部１３とが係合して蓋部２がロックがされた状態になっている。
操作者が、図２の状態から、蓋部２を下方に押圧すると、蓋部２に形成された突起部４が開口穴５内のツマミプロテクター６を押圧し、突起部４及びツマミプロテクター６は、図３の状態となる。
この状態では、ツマミプロテクター６が押圧されているので、阻止部材１０を遮るものがなくなり、ツマミ３のスライド（図２では左方向への）が可能で、主電源をＯＦＦにすることが可能である。
このツマミ３のスライドによって、ツマミ３に設けられた磁石７と本体１に設けられた主電源スイッチ駆動用のホール素子８とが対向位置となって、主電源はＯＦＦになる。
【００１８】
主電源スイッチとして機械的スイッチは、雨等の水滴がスイッチの接点を浸食して必要な時に確実に主電源をＯＮ状態にできない場合があるので採用できない。
また、非接触スイッチにすることも考えられるが、静電気式近接スイッチではＡＥＤの筐体として樹脂を用いているため、夏及び冬等に帯電による誤動作が生じ得るので採用は難しい。
【００１９】
そこで、本願発明の実施例ではＡＥＤの主電源スイッチの駆動にホール素子を採用している。
ＡＥＤの主電源スイッチの駆動にホール素子を使用する理由は、ＡＥＤが使用される環境が屋外の場合もあって、雨等の水滴に対する保護が必要であるが、ホール素子は磁石との動作において水滴等による影響を受けない特性を有しているためである。
【００２０】
図２及び図３のＡＥＤのスイッチ機構において、前記磁石の移動（スライド）によって、当該主電源がＯＮになるのは、次の理由による。すなわち、
ホール素子８と磁石７とが対向している場合には、ホール素子８に及ぶ磁石７の磁力が大きく、そのためホール素子８の起電力が大きくなって主電源をＯＦＦ状態に保ち、磁石７がホール素子８の位置からずれると前記磁力が小さくなりホール素子８の起電力が小さくなって主電源をＯＮ状態にする構成となっているためである。
なお、主電源をＯＦＦ状態に保つために、磁石７とホール素子８とを対向させるようにしているが、必ずしも対向させる必要はない。要は、ツマミ３の閉位置と開位置との間のスライドに応じて、ホール素子８に及ぶ磁石７の磁力が単調的に変化するように磁石７とホール素子８とを設ければ良い。しかしながら、本実施例のように対向配置することによて、磁石７の磁力が最大限有効利用できる。
【００２１】
図２及び図３のスイッチ機構において、ホール素子８と磁石７との位置関係が対向している場合に、主電源をＯＦＦ状態に保ち、磁石７がホール素子８の位置からずれると主電源をＯＮ状態にする構成としているが、動作を逆にして、ホール素子８と磁石７との位置関係が対向している場合に、主電源をＯＮ状態に保ち、磁石７がホール素子８の位置からずれると主電源をＯＦＦ状態にする構成も可能である。
しかしながら、ＡＥＤにおける主電源の重要性を考慮すると、ホール素子が故障（磁気が検出できない等）の場合に主電源をＯＮ状態にしてＡＥＤを使用可能とする、フェイルセーフ構成でる図２及び図３の如き構成とすることが望ましい。
【００２２】
なお、ホール素子と類似の機能を有する光を用いたフォトセンサによって主電源スイッチの駆動を実現することも可能であるが、フォトセンサには光源が必要で、その光源を動作させるためバッテリーの寿命に影響する。
小型軽量を重要視するＡＥＤではバッテリー寿命が重要であるので、この点で磁石とホール素子とを用いた主電源スイッチの駆動が優れている。
【００２３】
次に、ＡＥＤの使用時に操作者が操作する本発明のＡＥＤの主電源スイッチの動作は以下のとおりである。  
・操作者は、ＡＥＤ(1)を使用するために、ＡＥＤのハンドル(14)寄りにあるツマミ(3)をハンドル側にスライドさせる。（ステップS1）
・ステップS1のツマミのスライドによって、当該ツマミのラッチ部(13)によりロックされていた蓋部(2)の係合部(12)が開放されて蓋部が開状態になると共に、ツマミに設けられた磁石(7)が本体に設けられたホール素子(8)の対向位置からずれてＡＥＤの主電源がＯＮ状態になる。（ステップS2）
・この状態では、蓋部に形成された突起部(4)が本体(1)の開口穴(5)の外部に出るので、
当該開口穴内のツマミプロテクター(6)は突起部による押圧が解除され、バネ(9)の復元力のために上方に移動する。（図２の状態）（ステップS3）
この状態では、何らかの理由（操作者の誤操作等）で蓋部が閉状態になっただけでは、磁石とホールＩＣが対向位置にないため、主電源はＯＦＦにはならない。
また、この状態では、何らかの理由（操作者の誤操作等）でツマミをスライドさせようとしても、当該ツマミに形成された阻止部材(10)がツマミプロテクターに突き当たって
スライド操作ができないので、磁石とホールＩＣが対向位置にならないため、主電源はＯＦＦにはならない。
・次に、ＡＥＤの使用が終了した場合に、ＡＥＤの主電源スイッチをＯＦＦにするには、操作者は、蓋部を閉状態にする。（ステップS4）
・ステップS4の蓋部の閉状態で、操作者が蓋部を押圧すると、蓋部に形成された突起部が本体の開口穴内のツマミプロテクターをバネの復元力に逆らって押圧する。（ステップS5）
・ステップS5の状態では、ツマミプロテクターが押圧されていて、ツマミに形成された阻止部材の矢印方向へのスライドが可能になっているので、ツマミを矢印方向へスライドさせる。（図３の状態）（ステップS6）  
ステップS6のツマミのスライドによって、当該ツマミのラッチ部と蓋部の係合部とが係合して蓋部が完全に閉状態になると共に、磁石とホール素子とが対向してＡＥＤの主電源がＯＦＦ状態になる。
【００２４】
上述の如く、本願発明のＡＥＤの主電源はツマミによる蓋部の開放操作のみで簡単にＯＮにできる。
しかし、ＡＥＤの使用中に、何らかの理由（操作者の誤操作等）で蓋部が閉状態になっただけ、若しくは、ツマミをＯＦＦ方向にスライドさせようとしただけでは、主電源はＯＦＦにはならない。
ＡＥＤの主電源をＯＦＦするには、操作者が蓋部を閉状態に押圧した状態で、ツマミをＯＦＦ方向にスライドさせる必要がある。
【図面の簡単な説明】
【００２５】
【図１】本発明のＡＥＤの全体構成を示す斜視図である。
【図２】主電源スイッチをＯＮにする動作を説明するためのスイッチ構造の詳細な断面図である。
【図３】主電源スイッチをＯＦＦにする動作を説明するためのスイッチ構造の詳細な断面図である。
【符号の説明】
【００２６】
１：ＡＥＤ本体
２：蓋部
３：ツマミ
４：突起部
５：開口穴
６：ツマミプロテクター
７：磁石
８：ホール素子
９：バネ
１０：阻止部材
１１：バネ
１２：係合部
１３：ラッチ部
１４：ハンドル
【図１】
0005046031.tif 000002
【図２】
0005046031.tif 000003
【図３】
0005046031.tif 000004